(57)【要約】【課題】手挿入の時に処理空間内部の最低限の間隔がないと、手が掌側吹出ノズル６や甲側吹出ノズル７や乾燥室３に触れ、清潔感を損なう恐れがあるという課題があり、手挿入時に十分な間隔を保ち、かつ掌側吹出ノズル６や甲側吹出ノズル７と手の間隔を近づけることができることを目的としている。【解決手段】処理空間としての乾燥室３の両脇の開口部１０に対して乾燥室３の中央開口部が広がっているものであり、手を挿入したときに手が掌側吹出ノズル６や甲側吹出ノズル７や乾燥室３に接触することがなく、また飛散した水滴が再度手に付着する恐れがないため清潔に使用することができる。また乾燥室３の中央の開口部１０が大きく開口されているため手をもむ動作を容易にすることができるため、高速空気流にて吹き飛ばせない水分や指の間にある水分を十分に乾燥ができるという作用を有する。【選択図】図１
2005168799.tif 000002
【特許請求の範囲】
【請求項１】
外部に向って開口した挿入口から手を抜き差しできる処理空間を有し、この処理空間の内部において上記処理空間に挿入される手に対して噴流発生部により生成される作動気流を吹き当てて、作動気流の運動エネルギ−により手に付着した水分を払拭するように構成した手乾燥装置であって、処理空間の両脇開口部に対して処理空間の中央開口部が広がっている手乾燥装置。
【請求項２】
処理空間の両脇開口部に対して処理空間の中央開口部が広がり、かつ中央開口部と両脇開口部を略円弧でつなぐ形状とした請求項１記載の手乾燥装置。
【請求項３】
処理空間の両脇開口部に対して処理空間の中央開口部が広がり、中央開口部が略円弧となっている請求項１記載の手乾燥装置。
【請求項４】
処理空間の両脇開口部に対して処理空間の中央開口部が広がり、処理空間内に噴流発生部を、手を挿入する方向または手を挿入する方向と直交する方向にそれぞれ配置した請求項１記載の手乾燥装置。
【請求項５】
処理空間の両脇開口部に対して処理空間の中央開口部が広がり、処理空間内に噴流発生部を、掌側では手を挿入する方向に、かつ甲側では手を挿入する方向と直交する方向にそれぞれ配置した請求項１記載の手乾燥装置。
【請求項６】
処理空間の両脇開口部に対して処理空間の中央開口部が広がり、処理空間内に噴流発生部の形状を、掌側では手を挿入する方向、かつ甲側では手を挿入する方向と直交する方向にそれぞれ複数のスリット形状として配置した請求項１記載の手乾燥装置。
【請求項７】
処理空間の両脇開口部に対して処理空間の中央開口部が広がり、処理空間内に噴流発生部の形状を、掌側では手を挿入する方向に複数のスリット形状とし、かつ甲側では手を挿入する方向と直交する方向に複数の略円弧形状として配置した請求項１記載の手乾燥装置。
【請求項８】
処理空間の両脇開口部に対して処理空間の中央開口部が広がり、処理空間内に噴流発生部の形状を、掌側で手を挿入する方向に複数の略円弧形状として配列し、かつ甲側で手を挿入する方向と直交する方向に複数のスリット形状として配置した請求項１記載の手乾燥装置。
【請求項９】
処理空間の両脇開口部に対して処理空間の中央開口部が広がり、処理空間内に噴流発生部を、甲側で手を挿入する方向、かつ掌側で手を挿入する方向と直交する方向に配置した請求項１記載の手乾燥装置。
【請求項１０】
処理空間の両脇開口部に対して処理空間の中央開口部が広がり、処理空間内に噴流発生部の形状を、甲側で手を挿入する方向、かつ掌側で手を挿入する方向と直交する方向に複数のスリット形状として配置した請求項１記載の手乾燥装置。
【請求項１１】
処理空間の両脇開口部に対して処理空間の中央開口部が広がり、処理空間内に噴流発生部の形状を、甲側で手を挿入する方向に複数のスリット形状とし、かつ掌側で手を挿入する方向と直交する方向に複数の略円弧形状として配列した請求項１記載の手乾燥装置。
【請求項１２】
処理空間の両脇開口部に対して処理空間の中央開口部が広がり、処理空間内に噴流発生部の形状を、甲側で手を挿入する方向に複数の略円弧形状として配列し、かつ掌側で手を挿入する方向と直交する方向に複数のスリット形状として配置した請求項１記載の手乾燥装置。
【発明の詳細な説明】
【技術分野】
【０００１】
本発明は、洗面所やトイレ等で手を洗い、濡れた手を乾燥させる手乾燥装置内に設置される手乾燥装置に関するものである。
【背景技術】
【０００２】
従来、洗浄後の濡れた手を乾燥させる装置として、例えば高速空気流を手を出し入れできる最低限の処理空間に手のひらと甲側に噴出し、高速空気流の運動エネルギーによって手に付着した水分を処理空間内へ吹飛ばして手を乾燥させる構成となっているものがある（特許文献１参照または特許文献２参照）。
【０００３】
また、初期使用状態では処理空間を狭くして、一定時間経過後に広くなるようにしたものがある。（特許文献３参照）。
【０００４】
また、ヒータにより温度を上昇させた高速空気流を、手を出し入れできる広い処理空間に噴出し、高速空気流の運動エネルギーによって手に付着した水分を処理空間内へ吹飛ばし、かつ温度上昇と手をもむ動作による蒸発効果により手を乾燥させる構成となっているものがある（特許文献４参照）。
【特許文献１】特開昭６３−１５４１３８号公報
【特許文献２】特開平５−２９３０５５号公報
【特許文献３】特開平５−４９５５３号公報
【特許文献４】特開平１０−７１１０１号公報
【発明の開示】
【発明が解決しようとする課題】
【０００５】
このような従来の手乾燥装置では、いままでの手乾燥装置は手挿入の時に最低限の処理空間がないと手が処理空間に触れ、清潔感を損なう恐れがあるという課題があるが、それに相反して、手を出し入れすることで掌と甲側に噴出された高速空気流の運動エネルギーによって手に付着した水分を処理空間内へ吹飛ばして手乾燥するため、できる限り処理空間を狭くしなければ乾燥時間を短縮できないという課題があった。
【０００６】
またこの方式では大粒の水分はすばやく除去できるが、手の表面や指の間にはまだ水分が残ることがあったという課題があり、手をもむ動作のできる方式のものもあるが、処理空間を広くする必要があるため手に当たるまでに高速空気流の運動エネルギーが低減し、初期の水分を吹き飛ばす能力が低下する課題があった。
【０００７】
初期使用状態にて処理空間を狭くして、一定時間経過後に広くするものにおいては、構造が複雑になり、簡単に課題を解決する方法が必要であった。
【０００８】
本発明は、このような従来の課題を解決するものであり、手挿入時に十分な間隔を保ち、かつノズル吹出口と手の間隔を近づけることができることができ、また挿入口中央付近に大きな開口部があるため手もみをすることができる手乾燥装置を提供することを目的としている。
【課題を解決するための手段】
【０００９】
本発明の手乾燥装置は、上記目標を達成するため処理空間の両脇開口部に対して処理空間の中央開口部が広がっていることを特徴とする。そして、本発明によれば手挿入時に十分な間隔を保ち、かつノズル吹出口と手の間隔を近づけることができるとともに挿入口中央付近に大きな開口部があるため手もみをすることができる手乾燥装置が得られる。
【発明の効果】
【００１０】
処理空間の両脇開口部に対して処理空間の中央開口部が広がっているものであり、処理空間の開口部を十分に大きくすることにより、手を挿入したときに手が気流発生部や処理空間に接触することがなく、また飛散した水滴が再度手に付着する恐れがないため清潔に使用することができる。また処理空間の中央開口部が大きく開口されているため手をもむ動作を容易にすることができるため、高速空気流にて吹き飛ばせない水分や指の間にある水分を十分に乾燥ができる。
【発明を実施するための最良の形態】
【００１１】
以下、本発明の実施の形態について図面を参照しながら説明する。
【００１２】
（実施の形態１）
図１および図２に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としての掌側吹出ノズル６および甲側吹出ノズル７により作動気流としての高速風へと変換される。
【００１３】
また、前記メインユニット２内には制御手段８を設けて、乾燥室３内に差し出された手を検知する検知手段９を前記掌側吹出ノズル６または前記甲側吹出ノズル７の近傍に設け、前記制御手段８は前記検知手段９の検知信号を受けて前記送風装置５を駆動制御している。
【００１４】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段９が手を検知して、その検知出力がオンとなり、前記制御手段８を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００１５】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００１６】
（実施の形態２）
図３および図９に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としてのスリット形状１１となる掌側吹出ノズル６および甲側吹出ノズル７により作動気流としての高速風へと変換される。前記掌側吹出ノズル６の長手方向は掌側となる前記乾燥室３の下面側に開口部１０に対して直行して設置されている。それに対して前記甲側吹出ノズル７の長手方向は甲側となる前記乾燥室３の上面側に開口部１０に対して平行して設置されている。
【００１７】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００１８】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００１９】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００２０】
（実施の形態３）
図４、９、１０に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としてのスリット形状１１となる掌側吹出ノズル６および多孔形状１２となる甲側吹出ノズル７により作動気流としての高速風へと変換される。前記掌側吹出ノズル６の長手方向は掌側となる前記乾燥室３の下面側に開口部１０に対して直行して設置されている。それに対して前記甲側吹出ノズル７の長手方向は甲側となる前記乾燥室３の上面側に開口部１０に対して平行して設置されている。
【００２１】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００２２】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００２３】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００２４】
（実施の形態４）
図５、９、１０に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としての多孔形状１２となる掌側吹出ノズル６およびスリット形状１１となる甲側吹出ノズル７により作動気流としての高速風へと変換される。前記掌側吹出ノズル６の長手方向は掌側となる前記乾燥室３の下面側に開口部１０に対して直行して設置されている。それに対して前記甲側吹出ノズル７の長手方向は甲側となる前記乾燥室３の上面側に開口部１０に対して平行して設置されている。
【００２５】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００２６】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００２７】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００２８】
（実施の形態５）
図６および図９に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としてのスリット形状１１となる掌側吹出ノズル６および甲側吹出ノズル７により作動気流としての高速風へと変換される。前記掌側吹出ノズル６の長手方向は掌側となる前記乾燥室３の下面側に開口部１０に対して平行して設置されている。それに対して前記甲側吹出ノズル７の長手方向は甲側となる前記乾燥室３の上面側に開口部１０に対して直交して設置されている。
【００２９】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００３０】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００３１】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３２】
（実施の形態６）
図７、９、１０に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としての多孔形状１２となる掌側吹出ノズル６およびスリット形状１１となる甲側吹出ノズル７により作動気流としての高速風へと変換される。前記掌側吹出ノズル６の長手方向は掌側となる前記乾燥室３の下面側に開口部１０に対して平行して設置されている。それに対して前記甲側吹出ノズル７の長手方向は甲側となる前記乾燥室３の上面側に開口部１０に対して直交して設置されている。
【００３３】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００３４】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００３５】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３６】
（実施の形態７）
図８、９、１０に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としてのスリット形状１１となる掌側吹出ノズル６および多孔形状１２となる甲側吹出ノズル７により作動気流としての高速風へと変換される。前記掌側吹出ノズル６の長手方向は掌側となる前記乾燥室３の下面側に開口部１０に対して平行して設置されている。それに対して前記甲側吹出ノズル７の長手方向は甲側となる前記乾燥室３の上面側に開口部１０に対して直交して設置されている。
【００３７】
また、前記メインユニット２内には制御手段８を設けて、前記乾燥室３内に差し出された手を検知する検知手段９を前記掌側吹出ノズル６および前記甲側吹出ノズル７の近傍に設け、前記制御手段８は前記検知手段９の検知信号を受けて前記送風装置５を駆動制御している。
【００３８】
上記構成において、中央部分が大きく開口された前記乾燥室３には手が差し込みやすく、手を挿入する際に既に使用されている手乾燥装置の前記乾燥室３に手を付着することがない。前記乾燥室３に手を挿入すると前記検知手段８が手を検知して、その検知出力がオンとなり、前記制御手段７を介して前記送風装置５を動作させ、前記掌側吹出ノズル６および前記甲側吹出ノズル７より送出された高速風が手の表面に当たり、付着した水滴を分離しつつ乾燥し、分離された水滴は前記乾燥室３内の側壁面に付着し、前記乾燥室３下部まで自然に流すことができる。
【００３９】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【産業上の利用可能性】
【００４０】
本発明にかかる手乾燥装置は、噴流発生部の風量、風速を同等にした状態でも初期の水分除去性能は同等にでき、かつ乾燥装置使用後の手に水分が残った感覚を無くすことができ、十分な開口部により手を挿入しやすいため、使用者の不快感を軽減できるという効果を有し、洗面所やトイレ等で手を洗い、濡れた手を乾燥させる装置等として有効である。
【図面の簡単な説明】
【００４１】
【図１】本発明の実施例１の構造を示す斜視図
【図２】同側面断面図
【図３】同実施例２の構造を示す斜視図
【図４】同実施例３の構造を示す斜視図
【図５】同実施例４の構造を示す斜視図
【図６】同実施例５の構造を示す斜視図
【図７】同実施例６の構造を示す斜視図
【図８】同実施例７の構造を示す斜視図
【図９】同実施例２〜７の吹出ノズルのスリット形状図
【図１０】同実施例３、４、６および７の吹出ノズルの多孔形状図
【符号の説明】
【００４２】
１  本体
２  メインユニット
３  乾燥室
４  高圧シールユニット
５  送風装置
６  掌側吹出ノズル
７  甲側吹出ノズル
８  制御手段
９  検知手段
１０  開口部
１１  スリット形状
１２  多孔形状
【図１】
2005168799.tif 000003
【図２】
2005168799.tif 000004
【図３】
2005168799.tif 000005
【図４】
2005168799.tif 000006
【図５】
2005168799.tif 000007
【図６】
2005168799.tif 000008
【図７】
2005168799.tif 000009
【図８】
2005168799.tif 000010
【図９】
2005168799.tif 000011
【図１０】
2005168799.tif 000012